(57)【要約】【課題】従来のヘッドランプ等のランプレンズ面のクリーナーが、ウォッシャー式であるとランプの汚れが完全に払拭できない場合があり、ワイパー式であると見栄えが悪く、破損しやすく、製造価格が比較的高い課題があった。【解決手段】クリーナー本体１と、上下動可能なクリーナー可動体２と、クリーナー可動体２の上端に回動可能に設けられる回動キャップ４と、ウォッシャーノズル５とを有し、回動キャップ４は、開口部４０をランプレンズ面Ｒ方向へ向けて設けた中空体からなり、クリーナー可動体２に対して開口部側を伸縮体によって縮む方向へ付勢されており、かつ中空体内部に重力により自動移動するウエイト７と、ウエイト７とともに自動移動し中空体開口部４０から出没可能であり開口部より突出した状態で拡開する開閉ブラシ８とを有する外装ランプのランプレンズ面クリーナーによる。【選択図】  図５
2009190600.tif 000002
【特許請求の範囲】
【請求項１】
外装ランプのランプレンズ面クリーナーであり、
車体内部に設けられるクリーナー本体と、クリーナー本体から伸縮自在でありランプレンズ面に対して上下動可能なクリーナー可動体と、クリーナー可動体の上端にクリーナー可動体に対して回動軸を回動中心として回動可能に設けられる回動キャップと、クリーナー可動体に開口部をランプレンズ面に向けて設けられるウォッシャーノズルとを有し、
回動キャップは、開口部をランプレンズ面方向へ向けて設けた中空体からなり、かつクリーナー可動体に対して開口部側を伸縮体によって縮む方向へ付勢されており、かつ中空体内部に重力により自動移動するウエイトと、ウエイトとともに自動移動し中空体開口部から出没可能であり、かつ開口部より突出した状態で拡開する開閉ブラシとを有することを特徴とする外装ランプのランプレンズ面クリーナー。
【請求項２】
回動キャップが、開口部に内側に向いて突出する開口突起を有し、開閉ブラシが、その基部に外側に向いて突出するブラシ基部突起とを有し、開口突起にブラシ基部突起が当接することによって開閉ブラシが開口部の外側で開放される請求項１に記載の外装ランプのランプレンズ面クリーナー。
【発明の詳細な説明】
【技術分野】
【０００１】
この発明は、自動車のヘッドランプ等の外装ランプのクリーナーに関する。詳細には
ヘッドランプにおいてワイパー内蔵型のヘッドランプのクリーナーキャップに関する。
【背景技術】
【０００２】
自動車のヘッドランプ、リアランプ、フォグランプ等の外装ランプは、走行中に泥水による汚れや埃が付着しやすい。特にヘッドランプに泥や埃が付着した場合、それらの汚れにより光が乱反射して対向車へグレア光が向かうことになり、危険性が増加する。そのため、様々な様式のヘッドランプクリーナー（ＨＬＣ）が備えられていた。
【０００３】
一般的に、ヘッドランプクリーナーの方式には、ウォッシャー式とワイパー式の２つの方式が知られていた。ウォッシャー式は、図１３に示すようにユーザーが車室内からスイッチを操作することにより、バンパーＢ内に格納されていたウオッシャーノズル１００ａがクリーナー本体１０１から伸長するクリーナー可動体１０２の上方への可動により、ウォッシャーノズル１００ａがヘッドランプレンズ面Ｒに対向する位置に移動し、ヘッドランプレンズ面Ｒに向かってウォッシャー液が噴射される。このウォッシャー液の噴射圧力によって、ヘッドランプレンズ面Ｒに付着した汚れを払拭してヘッドランプの光量を回復する方式である。なお１０３は、バンパーＢ開口部を塞ぐキャップである。
【０００４】
また、ワイパー方式は、図１４に示すようにユーザーが車室内からスイッチを操作することにより、バンパーＢ上に固定して設置されているウォッシャーノズル１００ｂからヘッドランプレンズ面Ｒに向かってウォッシャー液が噴射される。その後で、バンパーＢ上に設置されているワイパー１０４をバンパーＢ内に設置されているモータ１０５によって左右に作動させてヘッドランプレンズ面Ｒに付着した汚れを払拭してヘッドランプの光量を回復する方式である。
【０００５】
例えば、ウォッシャー式では、従来技術として特開２００６−１９９２０１号公報（従来技術１）に「車両用灯具のクリーナー装置」が開示されている。従来技術１の「車両用灯具のクリーナー装置」には、「洗浄液を貯留する貯留タンクと洗浄液を車両用灯具に向けて噴射する噴射ノズルとの間の洗浄液流路上に加熱手段が設けられ、前記貯留タンクからの洗浄液が前記加熱手段によって加熱されて前記噴射ノズルへ供給される」構成が開示されている。
【０００６】
又、ワイパー方式の従来技術としては、特開平５−１９３４５６号公報（従来技術２）に「自動車用の特に車両ランプのカバーレンズ用のワイパー装置」が開示されている。従来技術２の「自動車用の特に車両ランプのカバーレンズ用のワイパー装置」は、「休止位置から待機位置へのワイパーの移動とともに、ワイパーの洗滌ブレードの乗る支持部材が動くことができ、さらに、待機位置における支持部材がレンズ面への滑らかな移行部を有する」構成を有している。
【特許文献１】特開２００６−１９９２０１号公報
【特許文献２】特開平５−１９３４５６号公報
【発明の開示】
【発明が解決しようとする課題】
【０００７】
しかしながら、従来のヘッドランプクリーナーのウォッシャー式であると、ウォッシャー液の噴射圧力のみで汚れを落とそうとするため、汚れの程度によってはヘッドランプの汚れが完全に払拭できない場合が少なくないという課題があった。
【０００８】
又、従来のヘッドランプクリーナーのワイパー式は、ウォッシャー式に比較するとヘッドランプレンズ面に付着した汚れの払拭性は高いが、ワイパー及びウォッシャーノズルがバンパー上に設置されているため、見栄えが悪く、破損しやすい課題があった。更に装置の設置費用もウォッシャー式に比較すると高価になってしまう課題があった。
【課題を解決するための手段】
【０００９】
上記課題を解決するために、外装ランプのランプレンズ面クリーナーであり、
車体内部に設けられるクリーナー本体と、クリーナー本体から伸縮自在でありランプレンズ面に対して上下動可能なクリーナー可動体と、クリーナー可動体の上端にクリーナー可動体に対して回動軸を回動中心として回動可能に設けられる回動キャップと、クリーナー可動体に開口部をランプレンズ面に向けて設けられるウォッシャーノズルとを有し、
回動キャップは、開口部をランプレンズ面方向へ向けて設けた中空体からなり、かつクリーナー可動体に対して開口部側を伸縮体によって縮む方向へ付勢されており、かつ中空体内部に重力により自動移動するウエイトと、ウエイトとともに自動移動し中空体開口部から出没可能であり、かつ開口部より突出した状態で拡開する開閉ブラシとを有することを特徴とする外装ランプのランプレンズ面クリーナーを提案する。
【００１０】
また、回動キャップが、開口部に内側に向いて突出する開口突起を有し、開閉ブラシが、その基部に外側に向いて突出するブラシ基部突起とを有し、開口突起にブラシ基部突起が当接することによって開閉ブラシが開口部の外側で開放される０００９に記載の外装ランプのランプレンズ面クリーナーを提案する。
【発明の効果】
【００１１】
この発明によれば、従来のヘッドランプクリーナーのワイパー式の洗浄効果を得るとともに、ワイパー式の欠点であるバンパー上に設けられる外観の悪さ、外に設置されるための故障のし易さを払拭することができる。
【００１２】
更に、従来のウォッシャー式の装置も使用できるため、安価に設置できる効果もある。
【発明を実施するための最良の形態】
【００１３】
この発明の実施形態である外装ランプのランプレンズ面クリーナーについて、側面断面説明図である図１乃至図４、及び図１乃至図４のそれぞれに対応する回動キャップの平面断面説明図である図５乃至図８、及び図５乃至図８のそれぞれに対応する回動キャップの側面断面説明図である図９乃至図１２に基づいて説明する。
【００１４】
この発明の実施形態を示す外装ランプのランプレンズ面クリーナーは、車体内部でありバンパーＢの下方に設けられシリンダー本体からなるクリーナー本体１と、クリーナー本体１から伸縮自在でありランプレンズ面Ｒに対して上下動可能なクリーナー可動体２と、クリーナー可動体２の上端にクリーナー可動体２に対して回動キャップ回動軸３を回動中心として回動可能に設けられる回動キャップ４と、クリーナー可動体２にノズル開口部５０をランプレンズ面Ｒに向けて設けられるウォッシャーノズル５とを有する。
【００１５】
クリーナー可動体２は、クリーナー本体１のシリンダーロッドからなり、クリーナー本体１とは伸縮可能である。クリーナー可動体２は、その上端に回動キャップ回動軸３水平方向に設け、回動キャップ４を回動可能に設けている。
【００１６】
回動キャップ４は、開口部４０をランプレンズ面Ｒ方向へ向けて設けた中空体からなり、開口部４０に内側に向いて突出する開口突起４１とウエイト７を停止させるウエイト停止突起４３を有している。開口突起４１は、回動キャップ４の中空体の側面に対してやや鋭角に突出している。
【００１７】
中空体である回動キャップ４は、開口部４０側の下面とクリーナー可動体２との間に伸縮体６を設けている。伸縮体６は、この実施形態ではバネからなり、回動キャップ４の回動キャップ回動軸３から開口部４０側を下方に引張るように縮む方向へ付勢されて設けられている。
【００１８】
回動キャップ４の中空体内部に重力により自重で自由移動可能なウエイト７と、ウエイト７とともに自由移動し中空体の開口部４０から出没可能であり、かつ開口部４０より突出した状態で拡開する開閉ブラシ８とを有する。
【００１９】
ウエイト７は、回動キャップ４の中空体内形状に対応する外形状を有し、回動キャップ４の傾きにしたがって、その自重によって回動キャップ４内部をスライドして移動可能な重量を有する。この実施形態ではウエイト７は金属製であり、その重量は開閉ブラシ８の重量より重ければよい。
【００２０】
ウエイト７は、開口部４０側のブラシ基部９と固定して設けられる。
【００２１】
開閉ブラシ８は、ブラシ基部９を介してウエイト７と固定して接続しており、ウエイト７の回動キャップ７内の移動に伴って移動する。開閉ブラシ８は、左右の開閉可能な拡開ブラシ部８０、８０と、ブラシ基部９の開口部４０側に設けられる固定ブラシ部８１とからなる。左右の開閉可能な拡開ブラシ部８０、８０は、それぞれ拡開ブラシ部８０、８０のブラシフレーム８２、８２をブラシ基部９にブラシフレーム回動軸８３、８３によって回動可能に取付けられている。ブラシフレーム８２、８２は、ブラシフレーム回動軸８３、８３においてほぼ９０度角外側に向いて突出するバー状のブラシ基部突起８４を角度を固定した状態で連続一体的に設けている。
【００２２】
開閉ブラシ８は、ウエイト７の移動にしたがって開口部４０側へ移動すると、その基部に外側に向いて突出するブラシ基部突起８３が、回動キャップ４の中空体の側面に対してやや鋭角に突出している開口突起４１に当接することによって開閉ブラシ８が開口部４０の外側で開放される。
【００２３】
次に、この発明の実施形態である外装ランプのランプレンズ面クリーナーの作動について説明する。
【００２４】
図１、図５及び図９は、シリンダーロッドであるクリーナー可動体２が短縮されてクリーナー本体１側に位置し、クリーナー可動体２の上端に位置する回動キャップ４がバンパーＢの開口部を閉鎖した状態であり、ウォッシャーノズル５はバンパーＢの下方内部に位置している。この状態では回動キャップ４は、水平より開口部４０側が高い状態であり、ウエイト７は自重により回動キャップ４の反開口部側４２内壁に位置している。そのためウエイト７に固定して接続しているブラシ基部９及び開閉ブラシ８は、左右の拡開ブラシ部８０、８０を閉鎖して回動キャップ４の中に収めた状態である。
【００２５】
また、図１、図５及び図９に示すようにクリーナー本体１は、垂直より後方に傾斜した状態で設けられており，クリーナー可動体２もその傾斜角度でやや後方に上昇し、前方へ下降する。そしてバンパーＢ上面の傾斜がクリーナー本体１より傾斜が水平に近い緩い傾斜であるため、回動キャップ４は、クリーナー可動体２が短縮されバンパーＢの開口部を閉鎖した状態では、回動キャップ４とクリーナー可動体２の伸縮体６が設けられた位置の成す角度は、伸縮体６の付勢力に抗して鈍角となる。  
【００２６】
次に、ユーザーが車室内からスイッチを操作することにより、クリーナー本体１が可動してシリンダーロッドであるクリーナー可動体２を伸長させる。図２、図６及び図１０はクリーナー可動体２を最伸長させた状態を示す。この状態ではバンパーＢ内に格納されていたウォッシャーノズル５が、ランプレンズ面Ｒに対向する位置に上昇しクリーナー液を噴射する。同時に回動キャップ４は、伸縮体６の引張る付勢力により回動キャップ４の開口部４０側が引っ張られ回動キャップ回動軸３を中心に回動し、回動キャップ４とクリーナー可動体２の成す角度を鋭角にする。そのため回動キャップ４の姿勢は、水平より開口部４０側が低い傾斜となる。
【００２７】
回動キャップ４が、水平より開口部４０側が低い状態になると、中空体内のウエイト７が、自重によって低い方にスライド移動し始める。図６に示すようにウエイト７が開口部４０側へ移動すると開閉ブラシ８もウエイト７の移動にしたがって開口部４０側へ移動する。ブラシ基部突起８４が開口突起４１に当接すると、ブラシ基部突起８４が内側へ押され、ブラシフレーム回動軸８３を中心にブラシ基部突起８４が回動すると、ブラシ基部突起８４とほぼ９０度角で一体的に連続しているブラシフレーム８２が外側に回動する。ブラシフレーム８２の外側への回動によって拡開ブラシ８０も左右に開放されていく。
【００２８】
図３、図７及び図１１に示すようにウエイト７は、更に開口部４０側へ移動し、中空体内壁に内側に突起するウエイト停止突起４３に当接して停止する。この状態では開閉ブラシ８の左右の拡開ブラシ部８０はほぼ１８０度角近く開き、中央の固定ブラシ部８１ともにブラシ面を形成する。このときブラシ基部突起８３はブラシ基部９の側面に接した状態となり、開放された拡開ブラシ部８０と固定ブラシ部８１によって形成されたブラシ面でランプレンズ面Ｒの汚れをウォッシャーノズル５から噴射されたクリーナーとともに払拭可能状態となる。この状態でクリーナー可動体２を短縮して下降させることで、又は再度伸長させて上昇させることでワイパーと同様のクリーニング作用を行なうことができる。
【００２９】
図４、図８及び図１２に示すようにクリーナー可動体２が短縮されて回動キャップ４がランプレンズ面Ｒを下降してくると、ランプレンズ面Ｒのスラント角が大きい下部に達する。回動キャップ４が、ランプレンズ面Ｒの下部に達すると図４及び図１２に示すように回動キャップ４は、ランプレンズ面Ｒからの反対圧力により伸縮体６の付勢力に抗して回動キャップ回動軸３を中心に回動し、開口部４０側が高くなる。  
【００３０】
回動キャップ４が、水平より開口部４０側が高くなる状態になると、中空体内のウエイト７が、自重によって低い反開口部４２側へスライド移動し始める。すると開放されていた拡開ブラシ部８０のブラシフレーム８２が、図８に示すように開口突起４１に押され徐々に閉鎖していき、ウエイト７が反開口部４２側の内壁まで移動すると、図１、図５及び図９に示すように開閉ブラシ８は、中空体内へ収納され、回動キャップ４は、バンパーＢの開口部を閉鎖して停止する。
【産業上の利用可能性】
【００３１】
この発明は、自動車の外装ランプ、特にヘッドランプへの利用可能性が高い。
【図面の簡単な説明】
【００３２】
【図１】この発明の実施形態である外装ランプのランプレンズ面クリーナーについて、側面断面説明図であり、クリーナー可動体が車体内に格納されている状態を示す。
【図２】この発明の実施形態である外装ランプのランプレンズ面クリーナーについて、側面断面説明図であり、クリーナー可動体が車体から伸長され回動キャップがランプレンズ面を向いて伸縮体によって下方を向いた状態をを示す。
【図３】この発明の実施形態である外装ランプのランプレンズ面クリーナーについて、側面断面説明図であり、回動キャップ内の開閉ブラシが開放されてランプレンズ面を洗浄している状態を示す。
【図４】この発明の実施形態である外装ランプのランプレンズ面クリーナーについて、側面断面説明図であり、クリーナー可動体が短縮し回動キャップが上方を向いて開閉ブラシが回動キャップ内へ収納される途中の状態を示す。
【図５】図１に対応する回動キャップの平面断面説明図
【図６】図２に対応する回動キャップの平面断面説明図
【図７】図３に対応する回動キャップの平面断面説明図
【図８】図４に対応する回動キャップの平面断面説明図
【図９】図５に対応する回動キャップの側面断面説明図
【図１０】図６に対応する回動キャップの側面断面説明図
【図１１】図７に対応する回動キャップの側面断面説明図
【図１２】図８に対応する回動キャップの側面断面説明図
【図１３】従来技術のウォッシャー式のランプレンズ面クリーナーを示す側面説明図
【図１４】従来技術のワイパー式のランプレンズ面クリーナーを示す側面説明図
【符号の説明】
【００３３】
１  クリーナー本体
２  クリーナー可動体
３  回動キャップ回動軸
４  回動キャップ
４０  開口部
４１  開口突起
４２  反開口部側
４３  ウエイト停止突起
５  ウォッシャーノズル
５０  ノズル開口部
６  伸縮体（バネ）
７  ウエイト
８  開閉ブラシ
８０  拡開ブラシ部
８１  固定ブラシ
８２  ブラシフレーム
８３  ブラシフレーム回動軸
８４  ブラシ基部突起
９  ブラシ基部
Ｂ  バンパー
Ｒ  ランプレンズ面
【図１】
2009190600.tif 000003
【図２】
2009190600.tif 000004
【図３】
2009190600.tif 000005
【図４】
2009190600.tif 000006
【図５】
2009190600.tif 000007
【図６】
2009190600.tif 000008
【図７】
2009190600.tif 000009
【図８】
2009190600.tif 000010
【図９】
2009190600.tif 000011
【図１０】
2009190600.tif 000012
【図１１】
2009190600.tif 000013
【図１２】
2009190600.tif 000014
【図１３】
2009190600.tif 000015
【図１４】
2009190600.tif 000016